(57)【特許請求の範囲】
【請求項１】
操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、
前記制御部は、前記不揮発性メモリにチャンネルのデータが書き込まれていない場合、前記チャンネル設定待機時の処理に移行する
ことを特徴とする照明器具。
【請求項２】
操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、
前記制御部は、前記判別部が前記揮発性メモリに書き込まれたチャンネルのデータを認識しない場合、前記チャンネル設定待機時の処理に移行する
ことを特徴とする照明器具。
【請求項３】
操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、
前記制御部は、復電時、前記不揮発性メモリとの通信障害に起因してその不揮発性メモリに書き込まれたチャンネルのデータを前記揮発性メモリに書き込むことができなかった場合、前記チャンネル設定待機時の処理に移行する
ことを特徴とする照明器具。
【請求項４】
操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、
前記制御部をリセットするリセット手段を備え、
前記制御部は、前記リセット手段によってリセットされると、前記チャンネル設定待機時の処理に移行する
ことを特徴とする照明器具。
【請求項５】
操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、
停電時に、前記制御部が前記不揮発性メモリにデータを書き込む処理を実行するために必要な電力を供給する補助電源を備え、
前記制御部は、前記チャンネル設定待機中に停電が発生すると、チャンネル設定待機中であったことを示すデータを前記不揮発性メモリに書き込み、復電時に前記不揮発性メモリにチャンネル設定待機中であったことを示すデータが書き込まれている場合、前記チャンネル設定待機時の状態で復帰する
ことを特徴とする照明器具。
【請求項６】
停電時に、前記制御部が前記揮発性メモリに書き込まれたデータを前記不揮発性メモリに書き込む処理を実行するために必要な電力を供給する補助電源を備え、前記別のタイミングとは停電発生後のことであることを特徴とする請求項１から５のいずれかに記載の照明器具。
【請求項７】
請求項１から６のいずれかに記載の照明器具と、前記リモコン送信器とを備えることを特徴とする照明装置。
【発明の詳細な説明】
【０００１】
【発明の属する技術分野】
本発明は、リモコン送信器からの操作信号に従って、点灯回路部を通じて光源に対する制御、例えば点灯、消灯または調光などの制御を実行する照明器具および照明装置に関するものである。
【０００２】
【従来の技術】
この種の照明器具および照明装置は各種提案され、また市販されている。例えば、特公平２−１５１５７号公報には、従来技術として、発信器から照明負荷をオン、オフする制御用の信号を送出する時にチャンネル番号をコード化したチャンネルコード信号を送り、個々の受信器では、発信器からのチャンネルコード信号や制御信号からなる伝送信号を受信し、受信したチャンネルコードをデコードし、自己のチャンネル（アドレス）かどうかを判別し、自己のチャンネルだった場合だけ次に受信する制御信号を受けて制御動作を行なうという多チャンネルリモコン装置が引用され、この従来の多チャンネルリモコン装置が持つ問題点を解決するべく、チャンネル設定の操作を容易にする多チャンネルリモコン装置のチャンネル設定装置が記載されている。
【０００３】
このチャンネル設定装置は、発信器からの伝送信号をチャンネルコードに変換する変換手段と、チャンネルコードを記憶保持する記憶保持手段と、記憶保持されたチャンネルコードと発信器より伝送されたチャンネルコードとが一致している場合に一致検出信号を出力する一致検出手段と、一致検出信号により負荷の制御を行わしめる制御手段とで受信器を構成したものであり、各受信器のチャンネル設定を発信器からの信号により行うことで、チャンネル設定の操作を容易にしている。
【０００４】
近年では、発信器、すなわちいわゆるリモコン送信器を用いて、選択チャンネルの書換えをソフト的に実現するべく、上記受信器の記憶保持手段、一致検出手段および制御手段に対応する部分には、一般的に、マイクロコンピュータが使用されている。
【０００５】
この場合、マイクロコンピュータ内の、上記記憶保持手段に対応する記憶部である主記憶装置（ＲＡＭ）に、上記一致検出手段に対応する判別部によって使用されるチャンネルが書き込まれることになるが、その記憶部に書き込まれたチャンネルは、マイクロコンピュータへの電源供給が停止すると消去される。
【０００６】
このため、チャンネルに加えて光源に対する制御内容のデータの書込みと読取りを行うために書換型の不揮発性（半導体）メモリが使用され、この不揮発性メモリに、マイクロコンピュータへの電源供給の停止直前の状態に復帰するために必要なデータ（チャンネルおよび制御内容など）が書き込まれる。これにより、マイクロコンピュータに電源が再度供給されたとき、マイクロコンピュータの中央処理装置が不揮発性メモリに書き込まれたデータを読み取って記憶部に書き込むことで、電源供給の停止直前の状態に復帰することができる。また、このような復帰は停電が発生した場合にも可能となる。
【０００７】
なお、特開平９−１３０８７５号公報には、中央制御装置と複数の端末器とにおいて、瞬時電圧変動や瞬時停電のときに調光された照明等の負荷が不具合な動作をすることのないように、電圧監視手段が、信号伝送手段の電源電圧の低下を検知して信号制御手段をリセットする遠隔監視制御システムが開示されている。
【０００８】
【発明が解決しようとする課題】
しかしながら、上記不揮発性メモリを使用する従来の方法では、図６および図７に示すように、不揮発性メモリに書き込まれた復帰に必要なデータが一部でも欠けた場合、制御部と不揮発性メモリとの間の通信に一時的な障害が発生した場合、記憶部のデータが一部でも欠けた場合、そしてマイクロコンピュータが強制的にリセットされた場合、上記復帰動作が困難となる。この場合、マイクロコンピュータに予め初期値として設定されているチャンネルおよび制御内容などが記憶部に書き込まれ、それに応じて機器が動作することになる。なお、その初期値は、電源供給の停止などに関係なく、故障でない限り、どのような環境下からでも再設定可能になっている。
【０００９】
さらに、上記従来技術では、受信器（リモコン受信器）のチャンネルコードとリモコン送信器から伝送されたチャンネルコードとが一致しているかの判別を行うために必要なチャンネルコードを、受信器の記憶部に記憶しようとするが、施工後においては、利用者によってではなく、メーカーによって製造出荷時に設定されたチャンネルコード（例えばＣＨ１）が記憶部に記憶されることになる。この場合、利用者がその出荷モードとは異なるチャンネルコード（例えばＣＨ２）を使用するためには、施工後に一旦通電を行ってからチャンネル設定操作を行う必要がある。
【００１０】
また、利用者の好みのチャンネルコードが設定された後においては、上述の如く、外来ノイズなどの影響で不揮発性メモリの保存内容が欠落ないし欠損した場合、制御部と不揮発性メモリとの間の通信障害に起因して制御部が不揮発性メモリから正しいチャンネルコードを読み出すことができない場合、（これにより）記憶部に書き込まれた（書き込まれるべき）データが欠損（欠落）した場合、上記初期値で機器が動作することになる。この場合、リモコン送信器を操作しても機器が動作しなくなるが、利用者はその原因が分からないので、再度チャンネル設定操作を行えばよいことが分からないという問題が生じる。また、再度チャンネル設定操作を行えばよいことに気付いたとしても、その設定のためにセードやカバーを取り外す必要があるときには面倒な作業を行わなければならない。
【００１１】
本発明は、上記事情に鑑みてなされたものであり、利用者にチャンネルの登録設定の操作を意識させることなく、チャンネルの登録設定を行うことができ、煩わしさを解消した使い勝手の良い照明器具および照明装置を提供することを目的とする。
【００１２】
【課題を解決するための手段】
上記課題を解決するための請求項１記載の発明は、操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、前記制御部は、前記不揮発性メモリにチャンネルのデータが書き込まれていない場合、前記チャンネル設定待機時の処理に移行することを特徴とする。
【００１３】
請求項２記載の発明は、操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、前記制御部は、前記判別部が前記揮発性メモリに書き込まれたチャンネルのデータを認識しない場合、前記チャンネル設定待機時の処理に移行することを特徴とする。
【００１４】
請求項３記載の発明は、操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、前記制御部は、復電時、前記不揮発性メモリとの通信障害に起因してその不揮発性メモリに書き込まれたチャンネルのデータを前記揮発性メモリに書き込むことができなかった場合、前記チャンネル設定待機時の処理に移行することを特徴とする。
【００１５】
請求項４記載の発明は、操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、前記制御部をリセットするリセット手段を備え、前記制御部は、前記リセット手段によってリセットされると、前記チャンネル設定待機時の処理に移行することを特徴とする。
【００１６】
請求項５記載の発明は、操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、停電時に、前記制御部が前記不揮発性メモリにデータを書き込む処理を実行するために必要な電力を供給する補助電源を備え、前記制御部は、前記チャンネル設定待機中に停電が発生すると、チャンネル設定待機中であったことを示すデータを前記不揮発性メモリに書き込み、復電時に前記不揮発性メモリにチャンネル設定待機中であったことを示すデータが書き込まれている場合、前記チャンネル設定待機時の状態で復帰することを特徴とする。
【００１７】
請求項６記載の発明は、請求項１から５のいずれかに記載の照明器具において、停電時に、前記制御部が前記揮発性メモリに書き込まれたデータを前記不揮発性メモリに書き込む処理を実行するために必要な電力を供給する補助電源を備え、前記別のタイミングとは停電発生後のことであることを特徴とする。
【００１８】
請求項７記載の発明の照明装置は、請求項１から６のいずれかに記載の照明器具と、前記リモコン送信器とを備えることを特徴とする。
【００１９】
【発明の実施の形態】
図１は照明装置の構成図であり、これらの図を用いて本発明に係る第１実施形態について説明する。
【００２０】
第１実施形態の照明装置１は、図１に示すように、リモコン送信器１１と、商用電源ＡＣに接続される照明器具１２とを備えている。
【００２１】
リモコン送信器１１は、所定のチャンネルに設定され、「全灯」、「調光」、「豆球」および「消灯」などのキー操作に応じて、チャンネルおよび制御のデータを含む操作信号を、例えば赤外線などの光信号で送信するものである。第１実施形態では、リモコン送信器１１が送信する操作信号には、チャンネル要素および照明器具１２に対する制御要素によって定義されるコードのデータがキー操作に応じて含められる。コードは、それぞれの要素が異なれば異なるものになる。換言すると、コードを確認することにより、チャンネルと制御の違いを判断することができるのである。
【００２２】
照明器具１２は、例えば２重環形蛍光ランプなどの照明負荷（光源）１３と、補助光源としての豆球１４とを交換自在に備えているほか、点灯回路部１５，１６と、リモコン受信器１７と、補助電源１８とを備えている。図１中のＤ１，Ｄ２は整流ダイオードである。
【００２３】
なお、第１実施形態では、リモコン受信器１７を構成する後述の制御部１７５に特徴が有り、照明器具１２のその他の構成および上述のリモコン送信器１１は従来と同様のものである。また、図１の例では、補助電源１８は、点灯回路部１５およびリモコン受信器１７外に設けられているが、点灯回路部１５またはリモコン受信器１７に使用される比較的大容量のコンデンサを兼用する構成でも構わない。
【００２４】
点灯回路部１５は、図示しない少なくとも１つのスイッチング素子およびこのオン／オフをリモコン受信器１７の制御に従って行う駆動回路部１５１などにより構成され、交流電源ＡＣからの交流電圧を直流電圧に整流し、この直流電圧をスイッチング素子のスイッチング動作によって高周波電圧に変換して照明負荷１３に印加するものである。ここで、駆動回路部１５１は、Ｖ／Ｆ変換回路（図示せず）を備え、リモコン受信器１７からの調光制御信号の電圧値に応じて、スイッチング素子に対するスイッチング周波数を変化させることにより、点灯回路部１５の出力を変化させ、照明負荷１３の光出力を変化させる機能を有している。
【００２５】
点灯回路部１６は、商用電源ＡＣと豆球１４との間に介設され、リモコン受信器１７からの制御信号に従って豆球１４を点灯／消灯させるものである。
【００２６】
リモコン受信器１７は、リモコン送信器１１からの操作信号に応じて点灯回路部１５，１６の制御などを実行するものであり、リモコン送信器１１に対応し、このリモコン送信器１１からの操作信号を赤外線で受光する受光部１７１と、データの書込みと読取りを行うための揮発性メモリ（ＲＡＭ）により構成される記憶部１７２と、データの書込みと読取りを行うための不揮発性メモリ（ＥＥＰＲＯＭまたはフラッシュメモリなど）により構成される保存部１７３とを備えているほか、判別部１７４と、制御部１７５とを備えている。なお、判別部１７４および制御部１７５を構成する後述のマイクロコンピュータは、従来と同様にリセット手段（図示せず）によって強制的にリセットされるようになっている。
【００２７】
判別部１７４は、判別用プログラムまたはサブルーチンを実行するマイクロコンピュータにより構成され、受光部１７１を介してリモコン送信器１１から操作信号を受信すると、この操作信号に、記憶部１７２に書き込まれたチャンネルのデータが含まれているかどうかの判別をするものである。具体的には、操作信号を受信すると、まずそれに含まれるコードをデコードし、続いてデコードして得たチャンネルのデータが記憶部１７２に書き込まれたチャンネルのデータと一致するかどうかを比較する処理が実行されるのである。
【００２８】
制御部１７５は、判別部１７４と同様に、制御用プログラムを実行するマイクロコンピュータにより構成され、照明器具１２全般の制御などの処理を実行するものである。
【００２９】
例えば、チャンネルを登録設定するためのチャンネル設定待機時に、受光部１７１を介してリモコン送信器１１からチャンネルのデータを含む操作信号を受信すると、記憶部１７２にそのチャンネルのデータの書込みを行うとともに、この書込みのタイミングとは別のタイミングで、保存部１７３に、記憶部１７２に書き込まれたチャンネルのデータの書込みを行う処理が実行される。さらに詳述すると、上記別のタイミングとは、第１実施形態では停電発生後のことであり、停電発生後も、上述の補助電源１８がリモコン受信器１７に対して無停電状態になるように電力を供給することにより、引き続き動作可能な制御部１７５が、停電直前に、記憶部１７２に書き込まれていたデータを保存部１７３に書き込む処理を実行する構成になっている。このため、補助電源１８は、商用電源ＡＣの通電信号を制御部１７５に送り（これにより制御部１７５が停電発生時点を認識）、商用電源ＡＣの供給が停止しても制御部１７５が保存部１７３にデータの書込みを完了することができる充分な時間、リモコン受信器１７に電源を供給するように構成される。なお、チャンネル登録設定用のキーまたはスイッチなどをリモコン送信器１１または照明器具１２に設け、それらキーまたはスイッチなどが操作されると、制御部１７５がチャンネル設定待機の状態になるように構成してもよい。この場合、従来と同様に、利用者が意識的にチャンネルを照明器具１２に登録設定することができる。
【００３０】
また、制御部１７５は、判別部１７４によって記憶部１７２に書き込まれたチャンネルのデータが含まれているという判別結果が得られると、対応する操作信号に含まれる制御のデータに従って、点灯回路部１５，１６を通じて照明負荷１３，豆球１４の制御を実行する。
【００３１】
また、制御部１７５は、停電になる（上記通電信号がなくなる）と、停電直前に、点灯回路部１５，１６に対して行っていた制御の内容（点灯モード）を保存部１７３に書き込み、復電すると、保存部１７３に書き込んだ制御の内容に従って点灯回路部１５，１６の制御処理を実行する。これにより、停電になると、停電直前の制御の内容がチャンネルのデータとともに保存部１７３に書き込まれることになり、復電すると、保存部１７３に書き込まれた制御の内容およびチャンネルのデータに従って復元処理が実行されることになる。
【００３２】
ところで、制御部１７５は、停電が発生して復電すると、まず最初に保存部１７３のデータの読取りを開始し、続いてそのデータに従って制御処理を実行するので、保存されていたデータが正常であれば、そのデータによって停電直前の状態が復元されることになる。しかし、保存部１７３のデータが一部欠損などで不正であったとすれば、停電直前の状態に復元することができなくなる。
【００３３】
これに関連して、照明器具１２の動作が利用者の好みを反映しない状態になり得る場合を列挙すると、照明器具１２の施工後などで利用者の好みに合わないデータが保存部１７３に記憶されている場合、外来ノイズや制御部１７５の暴走などに起因して、保存部１７３および制御部１７５間の通信に障害が発生し、保存部１７３のデータが読み取られなくなった場合、記憶部１７２に書き込まれたデータが一部欠損または紛失などで不正なデータになった場合、保存部１７３に書き込まれたデータが一部欠損または紛失などで不正なデータになった場合、そして制御部１７５が強制的にリセットされた場合などがある。
【００３４】
そこで、第１実施形態の特徴として、制御部１７５は、保存部１７３に書き込まれたデータが一部欠損または紛失などで不正なデータになった場合（保存部１７３にチャンネルのデータが書き込まれていない場合を含む。）、チャンネル設定待機時の処理に移行する。
【００３５】
このように、保存部１７３に書き込まれたデータが一部欠損または紛失などで不正なデータになった場合にチャンネル設定待機時の処理に移行すれば、リモコン送信器１１の任意の操作に応じて、リモコン送信器１１から送信される操作信号に含まれるチャンネルのデータが、判別部１７４用として記憶部１７２に自動的に書き込まれることになるので、利用者にチャンネルの登録設定の操作を意識させることなく、照明器具１２に対してチャンネルの登録設定を行うことができるとともに、利用者の好みを反映するように照明器具１２を動作させることができる。この場合、リモコン送信器１１のチャンネルが記憶部１７２に書き込まれていたチャンネルではなかったとしても、そのリモコン送信器１１のチャンネルを照明器具１２に無意識で登録設定することができる。要するに、利用者によって登録設定されたチャンネルのデータが上記の如く不正なデータになったとしても、チャンネルが通常の操作で無意識のうちに登録設定されるのである。
【００３６】
図２は照明装置の構成図、図３は図２の照明装置の概略動作を示す図であり、これらの図を用いて本発明に係る第２実施形態について説明する。
【００３７】
第２実施形態の照明装置２は、図２に示すように、制御部２７５を図１に示す制御部１７５に代えて備える照明器具１２を備える以外は、第１実施形態の照明装置１と同様に構成される。
【００３８】
すなわち、第１実施形態の制御部１７５は、保存部１７３に書き込まれたデータが一部欠損または紛失などで不正なデータになった場合、チャンネル設定待機時の処理に移行するのに対し、相違点として、第２実施形態の制御部２７５は、図３の例に示すように、保存部１７３および制御部２７５間の通信に障害が発生し、保存部１７３のデータが読み取られなくなり、記憶部１７２のチャンネルのデータが一部でも欠損した場合（停電後の復電後に保存部１７３との通信障害に起因してその保存部１７３に書き込まれたチャンネルのデータを記憶部１７２に書き込むことができなかった場合、および判別部１７４が記憶部１７２に書き込まれたチャンネルのデータを認識しない場合を含む。）、制御部２７５を構成するマイクロコンピュータがリセット手段によってリセットされた場合、そして保存部１７３に書き込まれたデータではなく、制御部２７５が持っている初期値を記憶部１７２に書き込む場合、チャンネル設定待機時の処理に移行する。
【００３９】
このように、チャンネル設定待機時の処理に移行すれば、リモコン送信器１１の任意の操作に応じて、リモコン送信器１１から送信される操作信号に含まれるチャンネルのデータが、判別部１７４用として記憶部１７２に自動的に書き込まれることになるので、利用者にチャンネルの登録設定の操作を意識させることなく、照明器具１２に対してチャンネルの登録設定を行うことができるとともに、利用者の好みを反映するように照明器具１２を動作させることができる。また、リモコン送信器１１のチャンネルが記憶部１７２に書き込まれていたチャンネルではなかったとしても、そのリモコン送信器１１のチャンネルを照明器具１２に無意識で登録設定することができる。
【００４０】
図４は照明装置の構成図、図５は図４の照明装置の概略動作を示す図であり、これらの図を用いて本発明に係る第３実施形態について説明する。
【００４１】
第３実施形態の照明装置３は、図４に示すように、制御部３７５を図１に示す制御部１７５に代えて備える照明器具１２を備える以外は、第１実施形態の照明装置１と同様に構成される。
【００４２】
すなわち、第１実施形態の制御部１７５は、保存部１７３に書き込まれたデータが一部欠損または紛失などで不正なデータになった場合、チャンネル設定待機時の処理に移行するのに対し、相違点として、第３実施形態の制御部３７５は、チャンネル設定待機中に停電が発生すると、チャンネル設定待機中であったことを示すデータをさらに保存部１７３に書き込み、復電時に保存部１７３にチャンネル設定待機中であったことを示すデータが書き込まれている場合、チャンネル設定待機時の状態で復帰する。ただし、リモコン送信器１１または照明器具１２には、チャンネル登録設定用のキーまたはスイッチなどが設けられているものとする。
【００４３】
このように、チャンネル設定待機中に停電が発生すると、チャンネル設定待機中であったことを示すデータ（チャンネル設定待機フラグ）をさらに保存部１７３に書き込むと、復電時に、チャンネル設定待機の状態に移行させるべきであるかどうかを判断することができる。例えば、チャンネル設定待機中に停電した場合には、チャンネル設定待機フラグをあげたまま保存し、復電時にチャンネル設定待機の状態で復帰する。
【００４４】
この構成によれば、チャンネル登録設定用のキーまたはスイッチなどを操作して、チャンネル設定待機の状態になったときに、壁電源スイッチなどが操作されて照明器具１２への通電路が断続しても、図５に示すように、チャンネル設定待機の状態で復帰するから、そのままチャンネル登録設定の操作が可能になり、この後、チャンネルのデータが受信されると、そのチャンネルが登録設定されることになる。
【００４５】
また、出荷時に、チャンネル設定待機フラグをあげたまま保存部１７３に保存しておけば、照明器具１２を施工後に初めて通電すると、チャンネル設定待機の状態で復帰するので、リモコン送信器１１の任意の操作に応じて、リモコン送信器１１から送信される操作信号に含まれるチャンネルのデータが、判別部１７４用として記憶部１７２に自動的に書き込まれることになるから、利用者にチャンネルの登録設定の操作を意識させることなく、照明器具１２に対してチャンネルの登録設定を行うことができるとともに、利用者の好みを反映するように照明器具１２を動作させることができる。
【００４６】
一般的に、いわゆるリモコンで操作可能な照明器具には、壁電源スイッチなどで操作可能になっているため、利用者が壁電源スイッチなどを操作した後にリモコン送信器１１を使用したとき、チャンネル設定待機の状態になるので、利用者の好みを反映する状態に照明器具１２を無意識で設定することができる。
【００４７】
なお、上記第１から第３実施形態に限らず、照明器具１２の施工直後などで利用者の好みに合わないデータが保存部１７３に記憶されている場合、外来ノイズや制御部１７５の暴走などに起因して、保存部１７３および制御部１７５間の通信に障害が発生し、保存部１７３のデータが読み取られなくなった場合、記憶部１７２に書き込まれたデータが一部欠損または紛失などで不正なデータになった場合、保存部１７３に書き込まれたデータが一部欠損または紛失などで不正なデータになった場合、そして制御部１７５が強制的にリセットされた場合などで、チャンネル設定待機時の処理に移行するようにしてもよい。
【００４８】
【発明の効果】
以上のことから明らかなように、請求項１記載の発明は、操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、前記制御部は、前記不揮発性メモリにチャンネルのデータが書き込まれていない場合、前記チャンネル設定待機時の処理に移行するので、利用者が操作するリモコン送信器のすべてのチャンネルで受信可能になってチャンネル設定の状態になり、意識的にチャンネルの登録設定操作を行う煩わしさを解消するという効果を奏する。すなわち、チャンネル設定待機時の処理に移行するので、任意のリモコン送信器を用いてしかも任意の操作をすることにより、その任意の操作に応じて、リモコン送信器から送信される操作信号に含まれるチャンネルのデータが、判別部用として揮発性メモリに自動的に書き込まれることになるので、利用者にチャンネルの登録設定の操作を意識させることなく、照明器具に対してチャンネルの登録設定を行うことができるとともに、利用者の好みを反映するように照明器具を動作させることができる。これにより、煩わしさが解消され使い勝手が良くなる。
【００４９】
請求項２記載の発明は、操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、前記制御部は、前記判別部が前記揮発性メモリに書き込まれたチャンネルのデータを認識しない場合、前記チャンネル設定待機時の処理に移行するので、例えば利用者が登録設定したチャンネルのデータが何らかの原因で認識されなくなっても、チャンネル設定待機時の処理に移行してチャンネルが無意識のうちに再度登録設定し直されるから、リモコン送信器の不動作により利用者に不快感を与えることがなくなる。つまり、利用者にチャンネルの登録設定の操作を意識させることなく、チャンネルの登録設定を行うことができ、煩わしさを解消し使い勝手を良くすることができる。
【００５０】
請求項３記載の発明は、操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、前記制御部は、復電時、前記不揮発性メモリとの通信障害に起因してその不揮発性メモリに書き込まれたチャンネルのデータを前記揮発性メモリに書き込むことができなかった場合、前記チャンネル設定待機時の処理に移行するので、例えば利用者が登録設定したチャンネルのデータが何らかの原因で認識されなくなっても、チャンネル設定待機時の処理に移行してチャンネルが無意識のうちに再度登録設定し直されるから、リモコン送信器の不動作により利用者に不快感を与えることがなくなる。つまり、利用者にチャンネルの登録設定の操作を意識させることなく、チャンネルの登録設定を行うことができ、煩わしさを解消し使い勝手を良くすることができる。
【００５１】
請求項４記載の発明は、操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、前記制御部をリセットするリセット手段を備え、前記制御部は、前記リセット手段によってリセットされると、前記チャンネル設定待機時の処理に移行するので、利用者にチャンネルの登録設定の操作を意識させることなく、チャンネルの登録設定を行うことができ、煩わしさを解消し使い勝手を良くすることができる。また、制御部に初期値としてのチャンネルのデータなどを持たせなくてもよくなり、制御部のデータ容量の削減が可能になるほか、チャンネル登録設定用のキーまたはスイッチなどの削減も可能になる。
【００５２】
請求項５記載の発明は、操作に応じてチャンネルおよび制御のデータを含む操作信号を無線で送信するリモコン送信器に対応し、このリモコン送信器からの操作信号を受信する受信部と、少なくとも１つの光源と、この光源を点灯させるための点灯回路部と、データの書込みと読取りを行うための揮発性メモリと、データの書込みと読取りを行うための不揮発性メモリと、チャンネルを登録設定するためのチャンネル設定待機時に、前記受信部を介して前記リモコン送信器から操作信号を受信すると、前記揮発性メモリに、その操作信号に含まれるチャンネルのデータの書込みを行うとともに、この書込みのタイミングとは別のタイミングで、前記不揮発性メモリに、前記揮発性メモリに書き込まれたチャンネルのデータの書込みを行う処理を実行する制御部と、前記受信部を介して前記リモコン送信器から操作信号を受信すると、この操作信号に、前記揮発性メモリに書き込まれたチャンネルのデータが含まれているかどうかの判別をする判別部とを備え、この判別部によって前記揮発性メモリに書き込まれたチャンネルのデータが含まれているという判別結果が得られると、前記制御部が、対応する操作信号に含まれる制御のデータに従って、前記点灯回路部を通じて前記光源に対する制御を実行する照明器具であって、停電時に、前記制御部が前記不揮発性メモリにデータを書き込む処理を実行するために必要な電力を供給する補助電源を備え、前記制御部は、前記チャンネル設定待機中に停電が発生すると、チャンネル設定待機中であったことを示すデータを前記不揮発性メモリに書き込み、復電時に前記不揮発性メモリにチャンネル設定待機中であったことを示すデータが書き込まれている場合、前記チャンネル設定待機時の状態で復帰するので、停電に加えて、例えば壁スイッチなどで照明器具への通電路が断続されるとチャンネル設定待機時の状態で復帰するから、利用者にチャンネルの登録設定の操作を意識させることなく、チャンネルの登録設定を行うことができ、煩わしさを解消し使い勝手を良くすることができる。
【００５３】
請求項６記載の発明は、請求項１から５のいずれかに記載の照明器具において、停電時に、前記制御部が前記揮発性メモリに書き込まれたデータを前記不揮発性メモリに書き込む処理を実行するために必要な電力を供給する補助電源を備え、前記別のタイミングとは停電発生後のことであるので、停電時に揮発性メモリに書き込まれたデータが不揮発性メモリに保存されて、停電直前のデータが保存されることになるから、停電直前の状態に復帰させることが可能になる。
【００５４】
請求項７記載の発明の照明装置は、請求項１から６のいずれかに記載の照明器具と、前記リモコン送信器とを備えるので、利用者にチャンネルの登録設定の操作を意識させることなく、チャンネルの登録設定を行うことができ、煩わしさを解消し使い勝手を良くすることができる。
【図面の簡単な説明】
【図１】照明装置の構成図である。
【図２】照明装置の構成図である。
【図３】図２の照明装置の概略動作を示す図である。
【図４】照明装置の構成図である。
【図５】図４の照明装置の概略動作を示す図である。
【図６】従来技術の概略動作を示す図である。
【図７】従来技術の概略動作を示す図である。
【符号の説明】
１，２，３  照明装置
１１  リモコン送信器
１２  照明器具
１７１  受光部
１７２  記憶部
１７３  保存部
１７４  判別部
１７５，２７５，３７５  制御部
【図１】
0003760795.tif 000002
【図２】
0003760795.tif 000003
【図３】
0003760795.tif 000004
【図４】
0003760795.tif 000005
【図５】
0003760795.tif 000006
【図６】
0003760795.tif 000007
【図７】
0003760795.tif 000008